(57)【要約】      （修正有）【課題】簡単に組み立て、分解ができ、コンパクトで携帯に便利な分割箸の提供。【解決手段】箸を上節３０、下節５０、及びそれぞれを嵌入結合する連結管７０とから構成し、連結管の嵌合部は凹凸の嵌合式により組み立てられる。図のの実施例においは、上節、下節に設けた連結軸３３，５３を凸部とし、連結管内に凹部となる貫通孔７１を設ける構造であるが、連結管の両端に連結軸を設けて凸部とし、上節、下節に設けられた挿入孔を凹部とする、あるいは、連結管と下節の上端に連結軸を設けて凸部とし、連結管と、上節の下端に挿入孔を設けて凹部とする、また、連結管と下節の上端に挿入孔を設けて凹部とし、結合と上節の下端に凸部となる連結軸を設けてもよい。【選択図】図1
0003131263.tif 000002
【実用新案登録請求の範囲】
【請求項１】
分割箸において、上節と下節、及び上節と下節とに嵌入結合される連結管とで構成し、前記上節、下節、及び連結管とは嵌合部において凹凸状の嵌入結合により一体化することを特徴とした分割箸。
【請求項２】
上記分割箸において、該嵌合部は上節と、下節にそれぞれ設けられた連結軸、及び連結管内に軸方向に貫通する貫通孔とからなることを特徴とする請求項１に記載の分割箸。
【請求項３】
上記分割箸において、該嵌合部は連結管の両端にそれぞれ設けられた連結軸と、上節、下節内にそれぞれに設けられた挿入孔からなることを特徴とする請求項１に記載の分割箸。
【請求項４】
上記分割箸において、該嵌合部は連結管と、下節の上端とにそれぞれ設けられた凸部となる連結軸、及び連結管と、上節の下端とにそれぞれ設けられた凹部となる挿入孔とからなることを特徴とする請求項１に記載の分割箸。
【請求項５】
上記分割箸において、該嵌合部は連結管と、下節の上端とにそれぞれ設けられた凹部となる挿入孔、及び、連結管と、上節の下端とにそれぞれ設けられた凸部となる連結軸とからなることを特徴とする請求項１に記載の分割箸。
【請求項６】
上記分割箸において、該連結管の表面に文字や模様を有する装飾部を形成したことを特徴とする請求項１に記載の分割箸。
【請求項７】
上記分割箸において、装飾部に施された文字や模様は凹凸状に刻印されたものであることを特徴とする請求項６に記載の分割箸。
【考案の詳細な説明】
【技術分野】
【０００１】
本考案は、分割箸の改良構造であり、特に簡単に組み立て、分解ができ、よりコンパクトで携帯に便利な分割箸に関するものである。
【背景技術】
【０００２】
仕事に追われる慌しい現代社会においては、時間も体力も消耗しやすく、時間節約を目的に多くの人が自炊よりも外食を好むようになってきた。外食する人々の増加とともに、使い捨ての割り箸の消費量も増加しており、割り箸製造用に多くの木材が伐採され、長期的視点でとらえると自然環境破壊に多大な影響を与えている。また、割り箸製造の際には外見上、清潔に見せるために、漂白処理の工程を経ているものが多く、薬剤を使用して漂白された割り箸を継続して使用すると、体内に徐々に有害物質が蓄積されていき、健康に影響を与えることになりかねない。最近では割り箸使用による健康への不安と、環境保護のために、外食時に自分の箸を携帯するという人たちが増えてきている。
【０００３】
しかしながら、普段使用する箸では長すぎて携帯には不便であるため、伸縮可能な収納式の箸や、組立て式の分割箸が研究開発されている。これにより外食時の箸の携帯は便利になった。しかしながら、従来の収納式箸では製造コストがかかる上に、収納部分の破損率も高いため、経済効率が非常に悪い。また、現在、市販されている携帯用の分割箸については、二分割式のものが多く、携帯時の利便性を考慮すると、依然として長さが長すぎるという欠点がある。また、そのほとんどがネジ式の連結構造であり、組立てや分解の際に時間を必要する上、面倒であるという欠点もある。
【特許文献１】登録実用新案第３１２９１８９号公報
【特許文献２】登録実用新案第３１０４３２１号公報
【考案の開示】
【考案が解決しようとする課題】
【０００４】
本考案は、前記の携帯用箸構造の問題を解決するためになされたものであり、その主要な目的は、従来の携帯用の箸より、長尺の短いコンパクトな分割箸を提供することにある。また、組立て、分解が簡単で、且つデザイン性のある分割箸を提供することも目的とする。
【課題を解決するための手段】
【０００５】
前記の目的を達成するために、本考案の分割箸は上節、下節、及びそれぞれを嵌入結合する連結管とから構成されており、連結管の結合部は凹凸の嵌合により組み立てられ、分割箸として使用できる。上節の上端は握持部であり、下端に嵌合用の凸状軸を設けており、連結管内に嵌入され、嵌合部を形成する。また、下節は下端に行くにしたがって細くなる円錐状を呈した箸先部であり、上端に嵌合用の凸状軸を設けており、連結管内に嵌入され、嵌合部を形成する。また、連結管の表面には文字や模様を有する装飾部を設けることができ、その文字や模様の装飾は凹凸状に刻印されることにより、分割箸は広告性、デザイン性、滑り止め防止効果の機能を有する。また、連結部内は貫通状態であり、この貫通孔に上節と下節を嵌入結合して嵌合部を形成する。
【０００６】
前記の嵌合部の実施例としては、上節、下節に設けた連結軸を凸部とし、連結管内の両端に凹部となる貫通孔を設ける構造。または、連結管の両端に連結軸を設けて凸部とし、上節、下節に設けられた挿入孔を凹部とすることもできる。あるいは、連結管と下節の上端に連結軸を設けて凸部とし、連結管と、上節の下端に挿入孔を設けて凹部とすることもできる。また、連結管と下節の上端に挿入孔を設けて凹部とし、結合管と上節の下端に凸部となる連結軸を設けるといった４種類の実施例がある。
【考案の効果】
【０００７】
以上の説明のように、本考案の分割箸の改良構造によれば、携帯に便利で、組立て、分解が簡単な分割箸の提供が可能となり、実用性、先進性に非常に優れた改良構造であり、産業界の推進により、広く社会に伝える価値がある発明である。
【考案を実施するための最良の形態】
【０００８】
上述の目的、及び効果を達成するため、本考案が採用した技術的手段、及びその構造について、以下に説明図、及び実施例を用いて、その特徴と効果を詳細に説明する。
【０００９】
本考案は、分割箸の改良構造に係るものであり、図１が示すように、分割箸１０は箸の上節３０、下節５０、及び上節３０と、下節５０を嵌入結合する連結管７０とから構成されており、該連結管７０の結合部は凹凸の嵌合式により組み立てられ、分割箸１０として使用できる。
【００１０】
上節３０の上端は握持部３１であり、下端に嵌合用の凸状軸を設けており、連結管７０内に連結軸３３を嵌入した状態で嵌合部を形成する。前記連結軸３３の直径は、握持部３１の直径より小さく、そのため握持部３１の底面につば部（図に表記なし）を形成する。形成されたつば部は、上節３０を連結管７０に嵌合した際に密着して固定した状態にする。
【００１１】
下節５０は、下端に行くにしたがって細くなる円錐状を呈した箸先部５１であり、その上端に嵌合用の凸状軸を設けており、連結管７０内に連結軸５３を嵌入した状態で嵌合部を形成する。前記連結軸５３の直径は、箸先部５１の最大直径より小さく、そのため箸先部５１の上端につば部５４を形成する。形成されたつば部５４は、下節５０を連結管７０に嵌合した際に、密着して固定した状態にする。
【００１２】
連結管７０の両端は、平面状を呈しており、これにより上節３０と、下節５０と、連結管７０とが嵌合する際の密着度が高くなる。また、連結管の表面には文字や模様のデザインを施すことができ、その文字や模様のデザインは凹凸状に刻印されることにより、分割箸１０は広告性、デザイン性、滑り止め効果の機能を有する。また、連結部７０内は軸方向に貫通しており、この貫通孔７１を備えた嵌合部に上節３０と下節５０を嵌入結合することができる。
【００１３】
図１から図にが示すのは上述の嵌合部の第一の実施形態である。嵌合部とは、すなわち上節３０の下端の連結軸３３と、下節５０の上端の連結軸５３、及び連結管７０内に貫通する貫通孔７１とを指す。分割箸１０を組み立てる際には、上節３０の連結軸３３と、下節５０の連結軸５３とを連結管７０の貫通孔７１の中に嵌入するだけで、組立てが完成して使用することが可能となる。反対に、分割箸１０を収納する際には上節３０の連結軸３３と、下節５０の連結軸５３とを連結管７０の貫通孔７１の中から引き抜くだけでよく、収納も便利だ。
【００１４】
図４が示すように、嵌合部の第二の実施形態について、主要となる部材は上記実施例の内容と同様であるため、詳細は省略する。該嵌合部は、連結管７０の両端に連結軸７３をそれぞれに設けて凸部とし、上節３０、下節５０のそれぞれに設けられた挿入孔５５を凹部とする。分割箸１０を組み立てる際には、上節３０の挿入孔５５と、下節５０の挿入孔５５とに連結管７０の両端にある連結軸７３を嵌合させるだけで、分割箸１０を使用することができる。
【００１５】
図５が示すように、上述の嵌合部の第三の実施形態について、主要となる部材は上記実施例の内容と同様であるため、詳細は省略する。該嵌合部は、連結管７０と、下節５０の上端のそれぞれに連結軸７５を設けて凸部とし、連結管７０と、上節３０の下端のそれぞれに挿入孔５７を設けて凹部とする。分割箸１０を組み立てる際には、上節３０と、下節５０とを連結管７０に嵌合させれば、分割箸１０をすぐに使用することができる。
【００１６】
図６が示すように、上述の嵌合部の第四の実施形態について、主要となる部材は上記実施例の内容と同様であるため、詳細は省略する。該嵌合部は連結管７０と、下節の上端のそれぞれに挿入孔５９を設けて凹部とし、連結管７０と、上節３０の下端のそれぞれに凸部となる連結軸７７を設ける。分割箸１０を組み立てる際には、上節３０と、下節５０とを連結管７０に嵌合させれば、分割箸１０をすぐに使用することができる。
【００１７】
以上の説明図、及び説明は本考案実施例にすぎず、本考案を実施例のみに限定するものではなく、当該技術を熟知する者なら誰でも、本考案の精神と領域を逸脱しない範囲内で変更や応用を加えることができ、したがって本考案の保護範囲は、特許請求の範囲で指定した内容を基準とする。
【００１８】
上述のように、本考案における分割箸の改良構造は、構造設計上からも、実用性、コスト削減の面においても、確実に業界発展ための需要に符合するものである。また、本考案における構造は、かつて未発表の新型構造であり、従来からある分割箸と比較すると、より高い実用効果を発揮し、確実に先進性を有するものであり、間違いなく実用新案の条件に合致しているので、所定の手続きにしたがって、実用新案登録を申請いたします。
【図面の簡単な説明】
【００１９】
【図１】本考案の実施例１の分割箸の改良構造を示す分解斜視図である。
【図２】本考案の実施例１の分割箸を結合させた状態を示す正面図である。
【図３】本考案の実施例１の分割箸を結合させた状態を示す斜視図である。
【図４】本考案の第二の実施例の分割箸を示す分解斜視図である。
【図５】本考案の第三の実施例の分割箸を示す分解斜視図である。
【図６】本考案の第四の実施例の分割箸を示す分解斜視図である。
【符号の説明】
【００２０】
１０  分割箸
３０  上節
３１  握持部
３３  連結軸
５０  下節
５１  箸先部
５３  連結軸
５４  つば部
５５  挿入孔
５７  挿入孔
５９  挿入孔
７０  連結管
７１  貫通孔
７３  連結軸
７５  連結軸
７７  連結軸
【図１】
0003131263.tif 000003
【図２】
0003131263.tif 000004
【図３】
0003131263.tif 000005
【図４】
0003131263.tif 000006
【図５】
0003131263.tif 000007
【図６】
0003131263.tif 000008